(57)【特許請求の範囲】
【請求項１】
下り用及び上り用光ファイバ線路と、
アンテナ手段を有し、上記下り及び上り光ファイバ線路に接続され、その下り光ファイバ線路から受けた下り光信号を下り無線周波信号に変換して上記アンテナ手段より送信し、上記アンテナ手段で受信された上り無線周波信号を上り光信号に変換して上記上り光ファイバ線路に送出するN個の無線アクセスユニットと、Nは１以上の整数であり、
複数の入出力端子を有し、上記複数の入出力端子に対応して第１及び第２通信システムを、上記下り及び上り光ファイバ線路とそれぞれ接続されたＮ個の上記無線アクセスユニットと共に構成し、各上記入出力端子に入力された下り無線周波信号を光信号に変換し、上記下り光信号として上記光ファイバ線路を通して上記第１及び第２通信システムに対応する上記無線アクセスユニットに送出し、および上記光ファイバ線路を通して上記第１及び第２通信システムに対応する上記無線アクセスユニットから送ってきた上記上り光信号を上り無線周波信号に変換し、上記第１及び第２通信システムに対応する上記入出力端子へ出力する分配合成ユニットとを含む光ファイバを用いた通信システムであって、
上記第１通信システムは、上記複数の入出力端子の１つに対応して上記Ｎ個の無線アクセスユニットをシングルセルとして機能させるシングルセル通信システムであり、上記第２通信システムは残りのＮ個の上記入出力端子に対応して上記Ｎ個の無線アクセスユニットをＮ個のマルチセルとして機能させるマルチセル通信システムであることを特徴とする光ファイバを用いた通信システム。
【請求項２】
請求項１記載のファイバを用いた通信システムにおいて、
上記分配合成ユニットは上記複数の入出力端子の１つの入力端子に与えられた下り用第１周波数帯の無線周波信号をＮ個に分配する下り用分配器と、上記Ｎ個の入出力端子の残りのＮ個の入力端子に与えられた、上記下り用第１周波数帯と異なる下り用第２周波数帯の、隣接するものの周波数が異なる無線周波信号のそれぞれを上記分配されたＮ個の信号の対応するものとそれぞれ合成するＮ個の下り用合成器と、上記Ｎ個の下り用合成器の出力をそれぞれ異なる波長の光信号に変換するＮ個の電気/光変換器と、上記Ｎ個の下り用電気/光変換器の出力光信号を合波して上記下り光信号として上記下り用光ファイバ線路に送出する下り用光合波器とを含み、
Ｎ個の上記無線アクセスユニットのそれぞれは、上記下り用光ファイバ線路から異なる波長の下り光信号を抽出する下り用光分波器と、上記下り用光分波器で抽出された光信号を電気無線周波信号に変換する下り用光/電気変換器と、上記電気無線周波信号から上記下り用第１周波数帯の無線周波を抽出し、上記アンテナ手段に供給する下り用第１フィルタと、上記電気無線周波信号から上記下り用第２周波数帯の無線周波信号を抽出し、上記アンテナ手段に供給する下り用第２フィルタとを有している。
【請求項３】
請求項１又は２記載の光ファイバを用いた通信システムにおいて、
上記Ｎ個の無線アクセスユニットは、上記アンテナ手段からの受信信号からそれぞれ共通の上り用第１周波数帯の無線周波信号を抽出する上り用第１フィルタと、上記アンテナ手段の受信信号から上記上り用第１周波数帯と異なる上り用第２周波数帯の無線周波信号を抽出する上り用第２フィルタと、上記上り用第１及び第２フィルタからの無線周波信号を結合する上り用第１結合器と、上記上り用第１結合器の出力を互いに異なる波長の光信号に変換する上り用電気/光変換器と、上記変換された光信号を上記上り光信号として上記上り用光ファイバ線路に結合する上り用光合波器とを含み、
上記分配合成ユニットは、上記上り用光ファイバ線路からの上記上り光信号を異なるＮ個の波長の光信号に分波する上り用光分波器と、波長の異なる上記Ｎ個の光信号をそれぞれ電気無線周波信号に変換するＮ個の上り用光/電気変換器と、Ｎ個の上記上り用光/電気変換器の出力無線周波信号をそれぞれ２つに分配するＮ個の上り用分配器と、上記Ｎ個の上り用分配器のそれぞれ一方の出力分配無線周波信号を結合し、結合した無線周波信号を上記１つの出力端子に出力する上り用第２結合器とを含み、上記Ｎ個の上り用分配器のそれぞれ他方の出力分配無線周波信号はそれぞれ上記Ｎ個の出力端子に出力される。
【請求項４】
請求項１記載の光ファイバを用いた通信システムにおいて、
上記分配合成ユニットは、上記複数の入出力端子の１つの入力端子に下り用第１周波数帯の無線周波信号が与えられ、上記複数の入出力端子の他のＮ個の入力端子に与えられた上記下り用第１周波数帯と異なる下り用第２周波数帯のＮ個の無線周波信号が与えられ、上記下り用第２周波数帯のＮ個の無線周波信号をそれぞれ異なる波長の光信号に変換するＮ個の下り用電気/光変換器と、上記Ｎ個の下り用電気/光変換器の出力光信号を合波する下り用光合波器と、上記下り用光合波器の出力合波光が与えられ、その合波光を上記下り用第１周波数帯の無線周波信号で外部変調し、変調出力を上記下り用光信号として上記下り用光ファイバ線路に送出する光外部変調器とを含み、
Ｎ個の上記無線アクセスユニットのそれぞれは、上記下り用光ファイバ線路から異なる波長の下り光信号を抽出する下り用光分波器と、上記下り用光分波器で抽出された光信号を電気無線周波信号に変換する下り用光/電気変換器と、上記電気無線周波信号から上記下り用第１周波数帯の無線周波を抽出し、上記アンテナ手段に供給する下り用第１フィルタと、上記電気無線周波信号から上記下り用第２周波数帯の無線周波信号を抽出し、上記アンテナ手段に供給する下り用第２フィルタとを有している。
【請求項５】
請求項１、２又は４記載の光ファイバを用いた通信システムにおいて、
上記Ｎ個の無線アクセスユニットのそれぞれは、上記アンテナ手段からの受信信号からそれぞれ共通の上り用第１周波数帯の無線周波信号を抽出する上り用第１フィルタと、上記アンテナ手段の受信信号から上記上り用第１周波数帯と異なる上り用第２周波数帯の無線周波信号を抽出する上り用第２フィルタと、上記上り用第１及び第２フィルタからの無線周波信号を結合する上り用結合器と、上記上り用結合器の出力を互いに異なる波長の光信号に変換する上り用電気/光変換器と、上記上り用電気/光変換器の出力光信号をそれぞれ上記上り用光ファイバ線路に供給する上り用光合波器とを含み、
上記分配合成ユニットは、上記上り用光ファイバ線路からの光信号を２つに分配する上り用光分配器と、一方の分配された光信号が与えられ、それを電気信号に変換する上り用第１光/電気変換器と、上記上り用第１光/電気変換器の出力から上記上り用第１周波数帯の無線周波信号を抽出し上記複数の入出力端子の１つの出力端子に出力する上り用第３フィルタと、他方の上記分配された光信号が与えられ、それをＮ個の波長の光信号に分波するＮ個の上り用光分波器と、分波されたＮ個の光信号をそれぞれ電気信号に変換するＮ個の上り用第２光/電気変換器と、上記Ｎ個の上り用第２光/電気変換器の出力信号から上記上り用第１周波数帯と異なる第２周波数帯のそれぞれ異なる周波数の無線周波信号を抽出し、上記複数の入出力端子の他のＮ個の出力端子に出力するＮ個の上り用第４フィルタとを含む。
【請求項６】
請求項３または５記載の光ファイバを用いた通信システムにおいて、
各上記無線アクセスユニットの上記アンテナ手段は、上記上り用および下り用第１周波数帯の送受信を行う第１アンテナと、上記上り用及び下り用第２周波数帯の送受信を行う第２アンテナとを有し、各上記無線アクセスユニットは、上記第１アンテナで受信した上記上り用第１周波数帯の上り用無線周波信号を上記上り用第１フィルタに与え、上記下り用第１フィルタの出力無線周波信号を上記第１アンテナに供給する第１送受共用器と、上記第２アンテナで受信した上記上り用第２周波数帯の無線周波信号を上記上り用第２フィルタに与え、上記下り用第２フィルタの出力無線周波信号を上記第２アンテナに供給する第２送受共用器とを含む。
【請求項７】
下り用及び上り用光ファイバ線路と、
アンテナ手段を有し、上記下り及び上り光ファイバ線路に接続され、その下り光ファイバ線路から受けた下り光信号を下り無線周波信号に変換して上記アンテナ手段より送信し、上記アンテナ手段で受信された上り無線周波信号を上り光信号に変換して上記上り光ファイバ線路に送出するN個の無線アクセスユニットと、Nは１以上の整数であり、
複数の入出力端子を有し、上記複数の入出力端子に対応して第１及び第２通信システムを、上記下り及び上り光ファイバ線路とそれぞれ接続されたＮ個の上記無線アクセスユニットと共に構成し、各上記入出力端子に入力された下り無線周波信号を光信号に変換し、上記下り光信号として上記光ファイバ線路を通して上記第１及び第２通信システムに対応する上記無線アクセスユニットに送出し、および上記光ファイバ線路を通して上記第１及び第２通信システムに対応する上記無線アクセスユニットから送ってきた上記上り光信号を上り無線周波信号に変換し、上記第１及び第２通信システムに対応する上記入出力端子へ出力する分配合成ユニットとを含む光ファイバを用いた通信システムであって、
上記第１通信システムは、上記複数の入出力端子のＫ個の各１個ずつにそれぞれ対応して上記Ｎ個の無線アクセスユニットをそれぞれシングルセルとして機能させるＫ個のシングルセル通信システムであり、
上記第２通信システムは、残りのＮ×Ｌ個の各Ｎ個ずつにそれぞれ対応して上記Ｎ個の無線アクセスユニットをそれぞれＮ個のマルチセルとして機能させるＬ個のマルチセル通信システムであることを特徴とする光ファイバを用いる通信システム。
【請求項８】
請求項７記載の光ファイバを用いた通信システムにおいて、
上記複数の入出力端子のＫ個の入力端子には異なるＫ個の周波数帯FA-1,...,FA-Kの下り無線周波信号が入力され、残りの入力端子の、それぞれN個から成るＬ組の入力端子には下り用第２周波数帯の異なる周波数帯FB-1,...,FB-Lの下り無線周波信号が入力され、
上記分配合成ユニットは、
上記Ｋ個の入出力端子のＫ個の入力端子に与えられたＫ個の周波数帯FA-1,...,FA-Kの無線周波信号をそれぞれＮ個に分配するＫ個の下り用分配器と、  Ｎ個の下り用合成器と、第ｉ番目の上記下り用合成器は、i=1,...,Nとすると、Ｋ個の上記下り用分配器のそれぞれのｉ番目の分配出力と、上記Ｌ組のそれぞれの第ｉ番目の入力端子からの下り無線周波信号とが与えられ、これらを合成し、
Ｎ個の上記下り用合成器の合成出力をそれぞれ異なるＮ個の波長λ1,...,λNの光信号に変換するＮ個の下り用電気/光変換器と、
Ｎ個の上記下り用電気/光変換器の出力光信号を合波し、下り光信号として上記下り用光ファイバ線路に送出する下り用光合波器、
とを含み、上記Ｎ個の無線アクセスユニットの第ｉ番目は、
波長λiの光信号を上記下り用光ファイバ線路から取り出す下り用光分波器と、
上記下り用光分波器により取り出された光信号を電気信号に変換する下り用光/電気変換器と、
上記下り用光/電気変換器から出力された電気信号から上記周波数帯FA-1, ..., FA-KのＫ個の無線周波信号と、上記周波数帯FB-1,...,FB-LのＬ個の無線周波信号を抽出する下り用分波器、
とを含む。
【請求項９】
請求項８記載の光ファイバを用いた通信システムにおいて、
Ｎ個の上記無線アクセスユニットの第ｉ番目は更に、
上記アンテナ手段の受信信号から周波数帯F'A-1,...,f'A-KのＫ個の上り無線周波信号と、周波数帯F'B-1,...,F'B-LのＬ個の上り無線周波信号を抽出するK+L個の上り用フィルタと、
上記K+L個の上り用フィルタの出力を合成する上り用合成器と、
上記上り用合成器の出力を波長λiの光信号に変換する上り用電気/光変換器と、
上記上り用電気/光変換器の出力光信号を上記上り用光ファイバ線路に上り光信号として結合する上り用光合波器、
とを含み、上記分配合成ユニットは、
上記上り用光ファイバ線路からの上り光信号を上記Ｎ個の波長の光信号に分離する上り用光分波器と、  上記Ｎ個の波長の上り光信号をそれぞれ電気信号に変換するＮ個の上り用光/電気変換器と、
上記Ｎ個の上り用光/電気変換器の出力電気信号がそれぞれ与えられるＮ個の上り用分波器と、第ｉ番目の上記上り用分波器は、与えられた電気信号から周波数帯F'A-1,...,F'A-KのＫ個の無線周波信号と、周波数帯F'B-1,...,F'B-LのＬ個の無線周波信号とを分離して出力し、
Ｋ個の上り用結合器と、第ｊ番目の上記上り用結合器は、上記Ｎ個の上り用分波器からの周波数帯F'A-j, j=1,...,Kの無線周波信号が与えられ、それらを結合して上記複数の入出力端子のＫ個の出力端子の第ｊ番目に出力し、
とを含み、第ｉ番目の上記上り用分波器からの周波数帯F'B-1,...,F'B-LのＬ個の無線周波信号は上記複数の入出力端子の残りの、それぞれがＮ個の出力端子から成るＬ組の、それぞれのｉ番目の出力端子に出力される。
【発明の詳細な説明】
【０００１】
【発明の属する技術分野】
本発明は、無線アクセスユニットを光ファイバ線路にて接続した通信システムに関する。
【０００２】
【従来の技術】
従来、屋内において、コンピュータ端末間の通信を無線化した無線ローカルエリアネットワーク（Ｌｏｃａｌ  Ａｒｅａ  Ｎｅｔｗｏｒｋ：  ＬＡＮ）が知られている。この無線ＬＡＮでは、コンピュータ端末間を有線ケーブルで接続するＬＡＮと比較して配線されたＬＡＮ接続口に端末を設置する必要がないため，端末の設置に柔軟性を持たせることができる。
無線ＬＡＮは、これまでに、スペクトル拡散方式を使用した電波免許不要な２．４ＧＨｚ帯のＩＳＭ（Ｉｎｄｕｓｔｒｉａｌ  Ｓｃｉｅｎｔｉｆｉｃ  ａｎｄ  Ｍｅｄｉｃａ１：産業科学医療用）バンドで、５ＧＨｚ帯ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）を用いたＩＥＥＥ８０２．１１、１ＥＥＥ１３９４の規格を無線化したシステム、更に、周波数ホッピング方式のスペクトラム拡散技術を利用するＢｕｌｅｔｏｏｔｈ（近距離通信無線技術）などが知られている。
【０００３】
これらの無線ＬＡＮで用いられる綱形態は、例えば、図１で示すように、スター型ネットワークで構成されることが多い。このスター型ネットワークは、中央にセンターノード３００（親局）を設け、これと各ノード３１０〜３４０（子局）を接続する方式である。また、このスター型ネットワーク構成を一単位とし、複数の親局を有線ケーブルで連結して無線ＬＡＮを構築する結合型の無線ＬＡＮもある。
一方、近年、地下街やビル内、トンネルなどの不感地において携帯電話などの移動局の利用を可能にする屋内無線伝送装置（特開平９−２８４８３７）が実用化されている。この屋内無線伝送装置は、図２に示すように、基地局ユニット２００と無線アクセスユニット２１０ａ〜２１０ｎと光ファイバ線路２２０ａ、２２０ｂとで構成される。
【０００４】
上記基地局ユニット２００は、移動無線用変復調器２０１と電気信号を光信号に変換するＥ／Ｏ変換回路２０２及び光信号を電気信号に変換する０／Ｅ変換回路２０３を有する。上記基地局ユニット２００と無線アクセスユニット２１０ａ〜２１０ｎは、光ファイバ線路２２０ａ、２２０ｂで接続され、上記無線アクセスユニット２１０ａ〜２１０ｎは、光信号を電気信号に変換する０／Ｅ変換回路２１１ａ〜２１１ｎ及び電気信号を光信号に変換するＥ／０変換回路２１２ａ〜２１２ｎを有している。
図２において、移動局３００から送信される無線周波信号は、無線アクセスユニット２１０ａ〜２１０ｎの内、例えば、無線アクセスユニット２１０ａで受信されＥ／０変換回路２１２ａで光信号に変換する。この光信号は光ファイバ線路２２０ｂを介して基地局ユニット２００に伝送された後、該基地局ユニット２００内の０／Ｅ変換回路２０３で電気信号に変換される。このようにして電気信号に変換された信号は、基地局ユニット２００の移動無線用変復調器２０１で所定の復調処理が行われて移動通信網７０に接続を行う。
【０００５】
一方、移動通信網からの信号は、基地局ユニット２００内の移動無線用変復調器２０１で所定の変調処理が行われた後、Ｅ／０変換回路２０２で光信号に変換され、光ファイバ線路２２０ａを介して無線アクセスユニット２１０ａ〜２１０ｎに伝送される。無線アクセスユニット２１０ａ〜２１０ｎは、受信した光信号を０／Ｅ変換回路２１１ａ〜２１１ｎで電気信号に変換して移動局３００に対し電波を放射する。移動局３００は、この無線周波信号を受信する。
【０００６】
【発明が解決しようとする課題】
図２の従来技術によるシステムにおいて、各無線アクセスユニットは同じ下り無線信号を送信するため、無線ゾーンの構成としては実質上シングルセルとなる。このため，屋内設置型無線システムの加入者容量は屋外設置型無線システムと比較して限定される。
本発明の目的は、複数の無線アクセスユニットを有する光ファイバ線路を基幹伝送路とした通信システムにおいて，加入者容量の大きい通信システムの提供にある。
【０００７】
【課題を解決するための手段】
この発明による光ファイバを用いた通信システムは
下り用及び上り用光ファイバ線路と、
アンテナ手段を有し、上記下り及び上り光ファイバ線路に接続され、その下り光ファイバ線路から受けた下り光信号を下り無線周波信号に変換して上記アンテナ手段より送信し、上記アンテナ手段で受信された上り無線周波信号を上り光信号に変換して上記上り光ファイバ線路に送出するＮ個の無線アクセスユニットと、Ｎは１以上の整数であり、
複数の入出力端子を有し、上記複数の入出力端子に対応して第１及び第２通信システムを、上記下り及び上り光ファイバ線路とそれぞれ接続されたＮ個の上記無線アクセスユニットと共に構成し、各上記入出力端子に入力された下り無線周波信号を光信号に変換し、上記下り光信号として上記光ファイバ線路を通して上記第１及び第２通信システムに対応する上記無線アクセスユニットに送出し、および上記光ファイバ線路を通して上記第１及び第２通信システムに対応する上記無線アクセスユニットから送ってきた上記上り光信号を上り無線周波信号に変換し、上記第１及び第２通信システムに対応する上記入出力端子へ出力する分配合成ユニット、
とを含むように構成される。
【０００８】
上記第１及び第２通信システムとして、互いに周波数帯域の異なる移動通信システムと無線ＬＡＮ通信システムを使用できる。
あるいは、上記第１及び第２通信システムは、上記複数の入出力端子の１つに対応して上記Ｎ個の無線アクセスユニットをシングルセルとして機能させるシングルセル通信システムと、残りのＮ個の上記入出力端子に対応して上記Ｎ個の無線アクセスユニットをＮ個のマルチセルとして機能させるマルチセル通信システムである。
【０００９】
あるいは、上記第１通信システムは、上記Ｎ個の無線アクセスユニットにより形成するシングルセルを、上記複数の入出力端子のうちのＫ個に対応してＫ重に動作させるシステムを使用し、上記第２通信システムとしては、上記Ｎ個の無線アクセスユニットにより形成するマルチセルをそれぞれがＮ個から成るＬ組の残りの入出力端子に対応してＬ重に動作させるシステムである。
あるいは、上記第１及び第２通信システムは、上記Ｎ個の無線アクセスユニットにより形成するシングルセルをＫ重、Ｋは２以上の整数、に動作させることにより実現されるＫ個の通信システムである。
【００１０】
あるいは、上記第１及び第２通信システムは、上記Ｎ個の無線アクセスユニットにより形成するマルチセルをＬ重、Ｌは２以上の整数、に動作させることにより実現されるＬ個の通信システムである。
【００１１】
【発明の実施の形態】
以下、本発明の実施例を図面に基づいて詳細に説明する。
第１実施例
図３はこの発明の第１の実施例を示す。この実施例においては、分配合成ユニット１００において移動通信用高周波信号と無線ＬＡＮ用高周波信号を多重化して電気／光変換し、同じ光ファイバ線路を通して無線アクセスユニットに送ることにより、移動通信システムと無線ＬＡＮシステムの２つを同一通信システム上で使用可能とする。これにより通信システムの利用効率を高めることができる。
【００１２】
図３に示すように、この通信システムでは、親局10(以下、ベースユニットという)、無線アクセスユニット30-11〜30-1N、30-21〜30-2N(以下、符号30と略す)、無線LANシスデム用端末41、42、無線チャネル無線アクセスユニット41a、42a、移動通信網に接続可能な移動端末43(以下、移動通信用端末という)、光ファイバ線路20A-1、20B-1、20A-2、20B-2で構成される。
上記ベースユニット10は、無線LAN用中継器15、移動無線用変復調器17、送信機16A-1、16A-2、受信機16B-1、16B-2、合成器12A-1、12A-2、分波器12B-1、12B-2、E/O変換器(電気/光変換器)13A-1、13A-2、0/E変換器(光/電気変換器)13B-1、13B-2を有している。移動無線用変復調器17は分波器12B-1、12B-2及び合成器12A-1、12A-2を接続している。合成器12A-1, 12A-2、分波器12B-1, 12B-2、E/O変換器13A-1, 13A-2、O/E変換器13B-1, 13B-2は分配合成ユニット100を構成している。無線LAN用中継器15、送信機16A-1, 16A-2、受信機16B-1, 16B-2は無線LAN中継手段を形成している。
【００１３】
各無線アクセスユニット３０は、０／Ｅ変換器３２Ａ、Ｅ／０変換器３２Ｂを有している。また、無線ＬＡＮシステム用端末４１、４２と移動通信用端末４３は、無線周波数が異なる。例えば、無線ＬＡＮシステム用端末４１、４２の無線周波数は、２．４ＧＨｚ帯、また移動通信用端末４３の無線周波数は、１．５ＧＨｚ帯である。
図３において、無線ＬＡＮシステム用端末４１又は、移動通信用端末４３から送信される無線周波信号は無線アクセスユニット３０で無線周波信号から光信号へと変換された後、光ファイバ線路を介してベースユニット１０で受信される。ベースユニット１０は、無線ＬＡＮシステム用端末４１と移動通信用端末４３との無線帯域を分離し、無線ＬＡＮシステム用端末４１の信号をベースユニット１０内の無線ＬＡＮ中継器１５を介して他方の無線ＬＡＮシステム用端末４１へ接続するための中継を行う。一方、移動通信用端末４３の信号は、ベースユニット１０内の移動無線用変復調器１７で所定の復調処理が行われて移動通信網７０へと接続される。
【００１４】
次に、この図３に示した通信システムにおいて、無線ＬＡＮシステム用端末４２から他の無線ＬＡＮシステム用端末４１へ通信を行う場合について詳述する。無線ＬＡＮシステム用端末４２は、該無線ＬＡＮシステム用端末４２に接続されている無線チャネル無線アクセスユニット４２ａ（例えば、ワイヤレスモデムなど）により無線ＬＡＮで規定されている無線周波信号を空間に放射する。この無線周波信号は無線ＬＡＮシステム用端末４２付近の無線アクセスユニット３０のアンテナ３６で受信される。この場合、無線アクセスユニット３０−２１で受信されたものとする。
【００１５】
無線アクセスユニット３０−２１は、その無線周波信号を受信すると、受信信号の利得調整を行ってＥ／０変換器３２Ｂへ出力する。Ｅ／０変換器３２Ｂは内部に半導体レーザダイオードを有しており、半導体レーザダイオードの駆動電流を受信無線周波信号で強度変調（ＩＭ：Ｉｎｔｅｎｓｉｔｙ  Ｍｏｄｕｌａｔｉｏｎ）することにより光信号に変換する。この強度変調された光信号は、光ファイバ線路２０Ｂ−２を介して分配合成ユニット１００へ伝送される。分配合成ユニット１００では、この光信号を０／Ｅ変換器１３Ｂ−２のフォトダイオードで受信して電気信号へ変換する。通常、この０／Ｅ変換器１３Ｂ−２のフォトダイオードには、複数の無線アクセスユニット３０−２１〜３０−２Ｎからの光信号が光ファイバ線路で合成されて入力される。
【００１６】
このようにして変換された電気信号は、分波器１２Ｂ−２により移動通信帯域と無線ＬＡＮ帯域に分離される。例えば、移動通信帯域は１．５ＧＨｚ帯、無線ＬＡＮ帯域は、２．４ＧＨｚ帯又は５ＧＨｚ帯などに分離される。この分波器１２Ｂ−２は、複数の周波数特性の異なるフィルタで構成することができる。分波器１２Ｂ−２は分離した帯域のうち無線ＬＡＮ帯域の無線周波信号を端子Ｙ’２から受信機１６Ｂ−２に出力し、移動通信帯域の無線周波信号を端子Ｘ’２から移動無線用変復調器１７へ与える。
受信機１６Ｂ−２は、分波器１２Ｂ−２より受信した無線周波信号の復調処理を行って無線ＬＡＮ用中継器１５に出力する。この無線ＬＡＮ用中継器１５は、所定の無線ＬＡＮ用のプロトコルが格納されており、復調信号に含まれるパケット信号のヘッダから送信元アドレス情報や宛先アドレス情報などを基に相手先無線ＬＡＮシステム用端末（無線ＬＡＮシステム用端末４１）に接続を行うためのルーティングなどの中継処理を行う。その処理によって無線ＬＡＮ用中継器１５は、例えば信号を送信機１６Ａ−１に送り、信号は無線ＬＡＮの帯域の無線周波信号に変換された後、端子Ｙ１を経て合成器１２Ａ−１に与え、移動無線用変復調器１７から端子Ｘ１を経て入力される移動通信用帯域の無線周波信号と帯域合成される。この合成器１２Ａ−１は、異なる周波数特性のフィルタで構成することが可能である。
【００１７】
このようにして合成器１２Ａ−１で帯域合成された無線周波信号は、Ｅ／０変換器１３Ａ−１の半導体レーザダイオードにて強度変調されて光信号へと変換される。この光信号は光ファイバ線路２０Ａ−１を介して無線アクセスユニット３０−１１〜３０−１Ｎの０／Ｅ変換器３２Ａで無線周波信号に変換された後、各無線アクセスユニット３０−１１〜３０−１Ｎのアンテナ３６によりその無線周波信号が空間に放射される。無線ＬＡＮシステム用端末４１は、この無線周波信号を無線チャネル無線アクセスユニット４１ａにて受信し、所定の復調処理を終えると無線ＬＡＮシステム用端末４２との通信が行えるようになる。
【００１８】
次に、図３に示した通信システム内で移動通信用端末を用いて通信を行う場合の通信手順について同図３を用いて説明する。図３において、移動通信用端末４３から送信される無線周波信号は、近傍の無線アクセスユニット３０で受信される。この場合、無線アクセスユニット３０−２１で受信されたものとする。この無線アクセスユニット３０−２１で受信された無線周波信号は、Ｅ／０変換器３２Ｂで無線周波信号から光信号へと変換され、その変換された光信号が光ファイバ線路２０Ｂ−２を介して、ペースユニット１０へ伝送される。
【００１９】
この光信号は、ベースユニット１０の０／Ｅ変換器１３Ｂ−２にて電気信号に変換されて分波器１２Ｂ−２へ出力される。そして分波器１２Ｂ−２で移動通信帯域と無線ＬＡＮ帯域とに分離された後、移動通信帯域の無線周波信号は、移動無線用変復調器１７に入力されて所定の復調が行われる。一方、無線ＬＡＮ帯域の無線周波信号は、前述のように受信機１６Ｂ−２を経て無線ＬＡＮ用中継器１５に入力される。
移動無線用変復調器１７にて移動通信帯域の無線周波信号の復調処理が行われると、その復調信号が移動通信網７０へ送られ、該移動通信網７０にて着信先の移動通信用端末と接続を行うための所定の処理がなされた後、発信元の移動通信用端末４３は着信先の移動通信用端末と通信が行えるようになる。
【００２０】
このような通信システムでは、例えば、２階建ての建物の１階フロアに無線アクセスユニット３０−１１〜３０−１Ｎを配置し、２階フロアに無線アクセスユニット３０−２１〜３０−２Ｎを配置し、１つのベースユニット１０を任意の位置に設置すれば、フロアにまたがる無線ＬＡＮシステム用端末間の通信は無線ＬＡＮ用中継器１５を経由して行われる。そのため、この建物全体で単一の無線ＬＡＮを実現することできるので、比較的規模の大きい無線ＬＡＮを構築することが可能である。
この通信システムでは、無線アクセスユニット３０は、無線ＬＡＮ用の無線周波信号と移動通信用の無線周波信号の同時送信が可能なので、無線ＬＡＮシステム内を介して移動通信用端末が移動通信網７０を介して他の移動通信用端末と通信を行うことができる。
【００２１】
このような通信システムでは、親局は、無線ＬＡＮ用の無線周波信号と移動通信用の無線周波信号を受信して帯域の分離を行い、その分離された無線周波信号に応じた信号の伝送先を決めることができる。つまり、親局は、受信した無線周波信号の識別を行い、その識別結果が無線ＬＡＮ用の無線周波信号の場合は、着信先の無線ＬＡＮシステム用端末へ接続を行うための中継処理を行う。
一方、移動通信用の無線周波信号の場合は、着信先の移動通信用端末へ接続するために移動通信網への接続処理を行う。従って、この実施例の通信システムによれば、無線ＬＡＮシステム用端末又は移動通信帯の端末に応じた通信を実現することが可能となる。
【００２２】
このように、図３の実施例によれば、端子Ｘ１，Ｘ’１及びＸ２，Ｘ’２の各組に対し、分配合成ユニット１００、光ファイバ線路２０Ａ，  ２０Ｂ、及び無線アクセスユニット３０−１１，．．．，３０−１Ｎ及び３０−２１，．．．，３０−２Ｎを含む通信システムは移動通信システムに接続可能な通信システムとして動作し、また、端子Ｙ１，Ｙ’１及びＹ２，Ｙ’２の組に対しては同じ通信システムは無線ＬＡＮ接続可能な通信システムとして動作するので、通信システムの利用効率を高めることができる。
第２実施例
図４に本発明による通信システムの第２の実施例を示す。この実施例は図３の実施例において無線ＬＡＮシステムをインターネット網（ＩＰ網）に接続可能とするように構成したものである。図４において、この無線ＬＡＮシステムでは、ベースユニット１０内の無線ＬＡＮ用中継器１５が外部通信網への接続機能を有している。例えば、外部通信網として、ＩＰ網８０に接続することができる。その他の構成は図３の実施例と同様である。
【００２３】
即ち、この無線ＬＡＮ用中継器１５がインターネットプロトコルを実装することにより、無線ＬＡＮシステム用端末から容易に１Ｐ網へ接続してインターネットアクセスやファイル転送などの通信サービスを受けることができる。従って、このような無線ＬＡＮシステムによれば、有線によるネットワーク環境と同等の環境が無線によって提供されるので、ユーザの移動性が向上する。
このような通信システムでは、無線ＬＡＮ用端末をＩＰ網に接続する外部網接続処理はベースユニットが行う。その結果、無線ＬＡＮシステム用端末から無線を利用してインターネットアクセスやファイル転送などを活用することが可能である。第３実施例
図５に本発明による通信システムの第３の実施例を示す。この実施例は、図３の実施例において無線ＬＡＮシステムをプロトコル変換により移動通信網に接続可能とするように構成したものである。図５において、この無線ＬＡＮシステムでは、ベースユニット１０内に、更に、プロトコル変換器１０１と合成／分離器１０２を設ける。無線ＬＡＮシステムの通信プロトコルと移動通信システムの通信プロトコルは異なるので、上記プロトコル変換器１０１は、無線ＬＡＮシステムの通信プロトコルを移動通信システムの通信プロトコルへ変換を行う。また、合成／分離器１０２では、上記プロトコル変換器１０１でプロトコル変換された信号を移動無線用変復調器１７からの信号と合成して移動通信網７０に接続し、かつ移動通信網７０から無線ＬＡＮ中継器１５に宛てられた信号の分離を行う。その他の構成は図３の実施例と同様である。
【００２４】
この無線ＬＡＮシステムにおいて、無線ＬＡＮシステム用端末が移動通信用端末と通信を行う場合は、次に示す手順に従って行われる。
まず、無線ＬＡＮシステム用端末４２から送信される無線周波信号が無線アクセスユニット３０で受信されると、無線アクセスユニット３０のＥ／０変換器３２Ｂでは、無線周波信号から光信号へ変換が行われる。この変換された光信号は光ファイバ線路２０Ｂ−２を介して分配合成ユニット１００に伝送される。分配合成ユニット１００では、受信した光信号を０／Ｅ変換器１３Ｂ−２で電気信号に変換して、分波器１２Ｂ−２に入力する。
【００２５】
分波器１２Ｂ−２は、入力した電気信号から無線ＬＡＮの無線帯域と移動通信用の無線帯域との帯域分離を行い、無線ＬＡＮの無線帯域の無線周波信号を受信機１６Ｂ−２へ出力する。
一方、受信機１６Ｂ−２では、無線ＬＡＮの無線周波信号の復調が行われ、この復調信号が無線ＬＡＮ用中継器１５を介してプロトコル変換器１０１へ入力される。プロトコル変換器１０１は、復調信号に含まれるプロトコル情報に基づいて無線ＬＡＮのプロトコルを移動通信網用のプロトコルに変換して、合成／分離器１０２に出力する。移動無線用変復調器１７は、移動通信用の無線周波信号の復調を行い、その復調した信号を合成／分離器１０２へ出力する。
【００２６】
合成／分離器１０２は、プロトコル変換器１０１でプロトコル変換された信号と移動無線用変復調器１７からの出力信号とを多重する。この場合の多重方法は、接続先の網がパケット通信網であれば、そのままパケット通信網に接続を行う。なお、接続先のパケット網側において無線ＬＡＮパケットと移動通信パケットとの識別は、パケットのヘッダに無線ＬＡＮパケットと移動通信パケットとを識別するための情報を含めることにより可能である。
また、接続先の網が回線交換網のときは、特定のスロットを無線ＬＡＮ用に割り当て接続を行う。このようにして合成／分離器１０２にて多重化された信号は、移動通信網７０内のパケット網あるいは回線交換網で着信先の移動通信用端末へ接続するための処理に用いられる。移動通信網７０内で一連の接続処理が完了すると発信元の無線ＬＡＮシステム用端末と着信先の移動通信用端末との間で通信が確立されて、音声信号やデータの送受信などを行うことができる。
【００２７】
このような無線ＬＡＮシステムでは、ベースユニット１０のプロトコル変換器１０１によって無線ＬＡＮのプロトコルから移動通信網のプロトコルヘの変換が行われる。そのため、無線ＬＡＮシステム用端末から移動通信用端末へ通信を行うことができる。その結果、無線ＬＡＮの網と移動通信網を見かけ上単一の網、即ち、シームレスネットワークとして取り扱える。ユーザは、無線ＬＡＮシステムで提供されるサービスの他、移動通信網が提供する多彩なサービス、例えば、ｉモードで提供されるサービスなどを受けられる。また、プロトコル変換器１０１に移動通信網のプロトコルを無線ＬＡＮプロトコルに変換するプロトコル変換処理機能を実装すれば、移動通信用端末から無線ＬＡＮシステム用の端末へと通信を行うことができる。
【００２８】
例えば、同図５において、移動通信用端末からの送信信号は、移動通信網70を介してベースユニット10の合成/分離器102に入力される。この合成/分離器102では、移動通信網が送出する信号から無線LANへの信号の分離を行う。即ち、通信プロトコルに関係する制御情報とデータ情報とを分離する。この通信プロトコルに関係する制御情報は、通信を行うための制御情報や発着信アドレスなどの情報を含んでいる。
プロトコル変換器101では、合成/分離器102で分離された制御情報に含まれるプロトコル情報、この場合は、移動通信用プロトコルを無線LANプロトコルヘと変換し、その変換された制御情報を無線LAN用中継11へ入力する。一方、合成/分離器102で分離されたデータ情報は、移動無線用変復調器17で所定の復調処理が行われる。
【００２９】
このようにしてプロトコル変換された制御情報は、送信機１６Ａ−１、１６Ａ−２で変調処理が行われた後、端子Ｙ１，  Ｙ２を介して分配合成ユニット１００の合成器１２Ａ−１，  １２Ａ−２へ入力される。そして、この合成器１２Ａ−１，  １２Ａ−２では、移動無線用変復調器１７で復調された情報とプロトコル変換された制御情報の多重化が行われる。この多重化された電気信号は、Ｅ／０変換器１３Ａ−１，  １３Ａ−２で光信号に変換された後、光ファイバ線路２０Ａ−１、２０Ａ−２を介して各無線アクセスユニット３０−１１〜３０−１Ｎ，  ３０−２１〜３０−２Ｎへ送信される。該各無線アクセスユニット３０〜３０−２Ｎ、３０−１１〜３０−１Ｎは、光信号を無線周波信号に変換してアンテナ３６より放射する。
【００３０】
上記のようにして各無線アクセスユニット３０−２１〜３０−２Ｎ、３０−１１〜３０−１Ｎから無線周波信号が放射されると、着信先の無線ＬＡＮの端末は近傍の無線アクセスユニットと接続処理を行って、発信元との通信を行うことができる。
このような無線ＬＡＮシステムでは、プロトコル変換器１０１によって移動通信用網プロトコルが無線ＬＡＮプロトコルへ変換され、及びその逆が行われるので、移動通信用端末から無線ＬＡＮシステム用端末への通信及びその逆の通信が実現できる。即ち、このような通信システムでは、プロトコル変換器１０１によって無線ＬＡＮの通信プロトコルと移動通信網の通信プロトコル間の変換を行うことにより、互いに接続された無線ＬＡＮシステムと、移動通信網、例えば、ＰＤＣ（Ｐｅｒｓｏｎａｌ  Ｄｉｇｉｔａｌ  Ｃｅｌｌｕｌａｒ）方式やＣＤＭＡ（Ｃｏｄｅ  Ｄｉｖｉｓｉｏｎ  Ｍｕｌｔｉｐｌｅ  Ａｃｃｅｓｓ）方式などの移動通信網とを見かけ上単一の網として取り扱うことができる。そのため、無線ＬＡＮシステムと移動通信システム間をシームレスなネットワークとして利用することが可能である。
第４実施例
この発明による通信システムの第４の実施例は、Ｎ個の無線アクセスユニットに割り当てられたＮ個のセルに個別にアクセス可能なマルチセル構成と、それらＮ個のセルをカバーし、共通にアクセス可能なシングルセル構成とを重ねて使用可能とすることにより通信システムの利用効率を高めたものである。
【００３１】
図６及び７にこの発明による通信システムの第４実施例を示す。図６は通信システムの下り信号のための構成のみを示す。図７に上り信号のための構成を示す。これらは図３、４、５の実施例で示したように一体化して構成される。
図６において、Ｓ０は、シングルセル構成の無線システムの下り無線周波信号であり、全ての無線アクセスユニット３０Ａ−１〜３０Ａ−Ｎに送られ、最終的に無線アクセスユニット３０Ａ−１〜３０Ａ−Ｎから無線周波信号として送信される。Ｓ０の周波数帯域をＦ０と記す。なお、無線アクセスユニット３０Ａ−１〜３０Ａ−Ｎと図７の対応する無線アクセスユニット３０Ｂ−１〜３０Ｂ−Ｎとの組が図３、４、５における無線アクセスユニット３０−１１〜３０−１Ｎ又は３０−２１〜３０−２Ｎに対応する。
【００３２】
信号Ｓ１１，Ｓ１２，．．．，Ｓ１Ｎは、マルチセル構成の無線システムの下り無線周波信号であり、Ｓ１ｉは無線アクセスユニット３０Ａ−ｉ（ｉ＝１，２，．．，Ｎ）のみに送信され、最終的に無線アクセスユニット３０Ａ−ｉから無線周波信号として送信される。Ｓ１１〜Ｓ１Ｎの全信号を含める周波数帯域をＦ１と記し、Ｆ０周波数帯とは異なる。また、Ｓ１１〜Ｓ１Ｎのそれぞれの周波数帯域をｆ１ｉと記し、その具体的な値は無線アクセスユニット（セル）の配置位置や、周波数繰り返し利用に関する設計によって決められる。例えば無線アクセスユニット数Ｎが３の場合、図８Ａ，８Ｃにｆ１ｉの設定の一例を示す。この例において、３つのセルにおいて、ｆ１１＝ｆ１３＝ｆａ、ｆ１２＝ｆｂのように設定される。ここで、Ｓ１１、Ｓ１３は同じ周波数帯域ｆａを繰り返して利用するが、それぞれの携帯する情報は異なる。
【００３３】
分配合成ユニット１００Ａにおいて、Ｓ０は分配器１１Ａにより分配される。Ｎ個の合成器１２Ａ−１〜１２Ａ−Ｎのそれぞれは、信号Ｓ１１〜Ｓ１Ｎのそれぞれと、分配器１１Ａで分配されたＳ０を多重化する。合成器１２Ａ−１〜１２Ａ−Ｎの出力信号はそれぞれ電気／光変換器１３Ａ−１〜１３Ａ−Ｎにより異なる波長λ１〜λＮの光信号に変換される。電気／光変換器１３Ａ−ｉの出力光信号の光波長はλｉである。これらＮ個の光信号は光合波器１４Ａにより合波され、光ファイバ線路２０Ａに結合される。
無線アクセスユニット３０Ａ−ｉにおいて、光ファイバ線路２０Ａからの光信号は、光ファイバ線路２０Ａに挿入された光分波器３１Ａによりλｉの光信号が取り出される。その他の光波長の光信号はこの光分波器３１Ａを通過し、次の無線アクセスユニット３０Ａ−（ｉ＋１）へ向かう。λｉの光信号は光／電気変換器３２Ａにより電気信号に変換される。この電気信号は分配器３３Ａにより二分配される。分配器３３Ａの一方の出力信号は周波数帯域Ｆ０のみが通過出来るフィルタ３４Ａａによりろ波され、Ｓ０が出力される。この信号は増幅器３５Ａａにより増幅され、第１アンテナ３６Ａａにより無線周波信号Ｓ０として空間に送信される。分配器３３Ａのもう一方の出力信号は周波数帯域Ｆ１のみが通過出来るフィルタ３４Ａｂによりろ波される。例えば無線アクセスユニット３０Ａ−１において、この出力信号はＳ１１となる。（一般的に、無線アクセスユニット３０Ａ−ｉにおいて、この出力信号はＳ１ｉとなる。）この信号は増幅器３５Ａｂにより増幅され、第２アンテナ３６Ａｂにより無線周波信号Ｓ１１として空間に送信される。
【００３４】
図７に図６の下り信号のための構成に対応する上り信号のための構成を示す。Ｓ’０はシングルセル構成の無線システムの上り無線周波信号であり、シングルセル構成の無線システムの無線端末から送信される。その周波数帯域をＦ’０と記す。Ｓ’１１，Ｓ’１２，．．．，Ｓ’１Ｎは、マルチセル構成の無線システムの上り無線周波信号であり、それぞれがｉ番目の無線アクセスユニットの近傍にあるマルチセル構成の無線システムの無線端末から送信される。Ｓ’１１〜Ｓ’１Ｎの全信号を含める周波数帯域をＦ’１と記し、Ｆ’０周波数帯とは異なる。また、Ｓ’１１〜Ｓ’１Ｎのそれぞれの周波数帯域はｆ’１ｉと記し、その具体的な値は前述と同様に無線アクセスユニット（セル）の配置や、周波数繰り返し利用に関する設計によって決められる。例えば、図８Ｂ，８Ｄにもｆ’１ｉの設定の一例を示す。この例において、三つのセルにおいて、ｆ’１１＝ｆ’１３＝ｆ’ａ、ｆ’１２＝ｆ’ｂのように設定される。ここで、Ｓ’１１、Ｓ’１３は同じ周波数帯域ｆ’ａを繰り返して利用するが、それぞれ情報は異なる。
【００３５】
無線アクセスユニット３０Ｂ−ｉにおいて、周波数帯域Ｆ’０の無線周波信号を受信できるアンテナ３６Ｂａは上記Ｓ’０を受信し、周波数帯域Ｆ’１の無線周波信号を受信できるアンテナ３６Ｂｂは上記Ｓ’１ｉを受信する。
アンテナ３６Ｂａの受信した無線周波信号は増幅器３５Ｂａにより増幅され、周波数帯域Ｆ’０のみが通過できるフィルタ３４Ｂａによりろ波される。アンテナ３６Ｂｂで受信した無線周波信号は増幅器３５Ｂｂにより増幅され、周波数帯域Ｆ’１のみが通過できるフィルタ３４Ｂｂによりろ波される。フィルタ３４Ｂａ、３４Ｂｂの出力信号は結合器３３Ｂにより結合される。結合された電気信号は電気／光変換器３２Ｂにより光波長λｉの光信号に変換される。この光信号は光合波器３１Ｂにより光ファイバ線路２０Ｂに結合される。
【００３６】
分配合成ユニット１００Ｂにおいて、光ファイバ線路２０Ｂからの光信号は光波長λ１〜λＮを含む。これらの光信号は光分波器１４Ｂにより分波される。分離された各光信号は光／電気変換器１３Ｂ−１〜１３Ｂ−Ｎにより電気信号に変換される。それぞれの電気信号は分配器１２Ｂ−１〜１２Ｂ−Ｎにより二分配される。分配器１２Ｂ−１〜１２Ｂ−Ｎの一方の出力信号は一つの結合器１１Ｂに集められ、一つの電気信号に結合される。この結合された信号から周波数帯域Ｆ’０のみが通過できるフィルタ１９Ｂ−０により上り無線周波信号Ｓ’０が取り出される。分配器１２Ｂ−１〜１２Ｂ−Ｎのもう一方の出力信号はそれぞれから、周波数帯域Ｆ’１のみが通過できるフィルタ１９Ｂ−１〜１９Ｂ−Ｎにより周波数帯域Ｆ’１の上り無線周波信号Ｓ’１１〜Ｓ’１Ｎが取り出される。
【００３７】
図７に示した分配合成ユニット１００Ｂの構成において、フィルタ１９Ｂ−ｉの出力信号Ｓ’１ｉはｉ番目の無線アクセスユニット３０Ｂ−ｉからの上り無線周波信号となる。  一方、隣接する無線アクセスユニットのセルの一部が重なるように設計された場合、この重なる領域にある無線端末機器の送信信号は両方のセルの無線アクセスユニットに受信される。この場合、ｉ番目の無線アクセスユニットのアンテナ３６Ｂｂにおいて、Ｓ’１ｉを受信すると共に、例えばＳ’１ｉ＋１を同時に受信することが有りうる（ただし、Ｓ’１ｉとＳ’１ｉ＋１のそれぞれを送信する無線端末機器は、異なるセルに属するため、周波数は異なる。即ち、ｆ’１ｉ≠ｆ’１ｉ＋１）。このとき、無線周波数帯のフィルタ３４Ｂｂ及び１９Ｂ−ｉによる二つの無線周波信号の分離は一般的にできないため、Ｓ’１ｉとＳ’１ｉ＋１は共に分配合成ユニットのフィルタ１９Ｂ−ｉから出力することになる。この出力において、ｉ番目無線アクセスユニットのセル自身に属する無線端末機器の上り無線周波信号だけを希望信号とする観点において、Ｓ’１ｉ＋１は不要信号である。一般に、フィルタ１９Ｂ−ｉ出力の無線周波信号を復調する段階で、この無線周波信号の周波数帯域をベースバンドに変換する。ベースバンドにおいてＳ’１ｉとＳ’１ｉ＋１をフィルタにより容易に分離できる。したがって、Ｓ’１ｉ＋１がフィルタ１９Ｂ−ｉの出力に現れても差し支えない。
【００３８】
図６及び７で説明した無線周波信号の光ファイバ伝送システムにおいて、信号Ｓ０の周波数帯域Ｆ０によるシングルセル構成と信号Ｓ１１〜Ｓ１Ｎによる周波数帯域ｆ１１〜ｆ１Ｎのマルチセル構成はそれぞれ１システムであるが、それぞれ複数のシステムである場合も以上のシステムから容易に拡張できる。即ち、図６の下り信号に対し、全シングルセル構成の無線システムの下り無線周波信号を合成してから上記分配器１１Ａに入力すればよい。また、複数のマルチセル構成での無線システムの下り無線周波信号に対して、同一無線アクセスユニットに向ける信号を結合してから、上記各結合器１２Ａ−１〜１２Ａ−Ｎに入力すればよい。一方、無線アクセスユニットにおいて、分配器３３Ａの分配数を無線システム数と同様にし、この分配器３３Ａの各出力信号をろ波、増幅して、それぞれの送信アンテナに送れば良い。
【００３９】
同様に図７の上り信号に対し、無線アクセスユニットにおいて、複数の無線システムの上り無線周波信号を受信するアンテナをそれぞれ設置し、それぞれの受信信号を増幅、ろ波してから結合すればよい。また、ベースユニットにおいて、上記結合器１１Ｂの出力信号をシングルセル構成の無線システムの数だけ分配し、それぞれの分配出力から、適切なフィルタで各システムの上り無線周波信号を取り出せばよい。さらに、上記各フィルタ１９Ｂ−１〜１９Ｂ−Ｎのそれぞれの出力を、マルチセル構成の無線システムの数だけ分配し、それぞれの分配出力から、適切なフィルタで各システムの上り無線周波信号を取り出せばよい。
【００４０】
図６及び７の実施例によれば、端子Ｘ０，  Ｘ’０の組に対し分配合成ユニット１００Ａ，  １００Ｂ、光ファイバ線路２０Ａ，  ２０Ｂ及び無線アクセスユニット３０Ａ−１，．．．，３０Ａ−Ｎ及び３０Ｂ−１，．．．，３０Ｂ−Ｎを含む通信システムはシングルセル通信システムとして動作し、また、端子Ｙ１，．．．，ＹＮ及びＹ’１，．．．，Ｙ’Ｎの組に対し同じ通信システムはマルチセル通信システムとして動作することができるので、通信システムの利用効率を高めることができる。
図６及び７の実施例において、図３、４及び５の実施例と同様に、この発明の通信システム内の端末を移動通信網７０と接続するには、端子Ｘ０，  Ｘ’０に破線で示すように移動無線用変復調器１７を接続し、それを介して移動通信網７０に接続すればよい。また、図６及び７の実施例により無線ＬＡＮシステムを構成するには、図３、４、５の実施例において無線ＬＡＮ用中継器１５に接続された送信機１６Ａと受信機１６ＢをそれぞれＮ個設け、それらＮ個の送信機１６Ａの出力を図６におけるＮ個の入力端子Ｙ１，．．．，ＹＮにそれぞれ接続し、Ｎ個の受信機１６Ｂの入力に図７におけるＮ個の出力端子Ｙ’１，．．．，Ｙ’Ｎをそれぞれ接続すればよい。更に、図４のように、ＩＰ網に接続可能とすることもできるし、図５に示すように、プロトコル変換器１０１を設け、合成／分離器１０２を介して無線ＬＡＮシステムを移動通信網７０に接続可能とすることもできる。これらと同様の変形実施例は以下に説明する実施例においても適用できる。
【００４１】
図９に図６の実施例における分配合成ユニット１００Ａの変形実施例を示す。
分配合成ユニット１００Ａにおいて、マルチセル構成の無線システムの下り無線周波信号Ｓ１１，Ｓ１２，．．．，Ｓ１Ｎは電気／光変換器１３Ａ−１〜１３Ａ−Ｎにより光信号に変換される。Ｓ１ｉに対して、光信号の波長はλｉである。これらの光信号は光合波器１４Ａにより合波される。合波された光信号は光外部変調器９Ａに入力され、シングルセル構成の無線システムの下り無線周波信号Ｓ０により光強度変調されて光外部変調器９Ａから出力され、光ファイバ線路２０Ａに結合される。光外部変調器９Ａにおいて、異なる光波長の各光信号は同時にＳ０により光強度変調されるため、Ｓ０の情報が全ての波長の光信号に変調される。
【００４２】
図１０に図９の実施例に対応した、図７における分配合成ユニット１００Ｂの変形実施例を示す。
光ファイバ線路２０Ｂからの光信号は、各無線アクセスユニットからの異なる光波長の光信号を含んでいる。分配合成ユニット１００Ｂにおいて、この光信号は光分配器９Ｂにより二分配される。光分配器９Ｂの一方の出力は光／電気変換器１３Ｂ−０により電気信号に変換される。この電気信号から周波数帯域Ｆ’０のみが通過できるフィルタ１９Ｂ−０により上り無線周波信号Ｓ’０が取り出される。光分配器９Ｂのもう一方の出力は光分波器１４Ｂにより分波される。分離された各波長の光信号は光／電気変換器１３Ｂ−１〜１３Ｂ−Ｎにより電気信号に変換される。これらの電気信号のそれぞれから周波数帯域Ｆ’１のみが通過できるフィルタ１９Ｂ−１〜１９Ｂ−Ｎにより周波数帯域Ｆ’１の上り無線周波信号が取り出される。フィルタ１９Ｂ−ｉの出力信号はｉ番目の無線アクセスユニットからの上り無線周波信号Ｓ’１ｉとなる。
【００４３】
図１１に図６、７の実施例における分配合成ユニット１００Ａ，１００Ｂの他の変形実施例を示す。
下り方向では、無線アクセスユニット３０−ｉにおいて、下り回線の下り用光ファイバ線路２０Ａからの光信号は、下り用光ファイバ線路２０Ａに挿入された光分波器３１Ａによりλｉの光信号が取り出される。このλｉの光信号は光／電気変換器３２Ａにより電気信号に変換され、分配器３３Ａにより二分配される。分配器３３Ａの一方の出力信号は周波数帯域Ｆ０のみが通過できるフィルタ３４Ａａによりろ波され、Ｓ０が出力される。この信号は増幅器３５Ａａにより増幅され、共用器３７ａを介してアンテナ３６ａに送られる。アンテナ３６ａにおいて無線周波信号Ｓ０が下り無線周波信号として空間に送信される。分配器３３Ａのもう一方の出力信号は周波数帯域Ｆ１のみが通過できるフィルタ３４Ａｂによりろ波され、Ｓ１ｉが出力される。この信号は増幅器３５Ａｂにより増幅され、共用器３７ｂを介してアンテナ３６ｂに送られる。アンテナ３６ｂにおいて下り無線周波信号Ｓ１ｉが無線周波信号として空間に送信される。
【００４４】
一方上り方向では、無線アクセスユニット３０−ｉにおいて、周波数帯域Ｆ’０の無線周波信号を受信できるアンテナ３６ａはＳ’０を受信し、周波数帯域Ｆ’１の無線周波信号を受信できるアンテナ３６ｂでＳ’１ｉを受信する。アンテナ３６ａで受信した上り無線周波信号Ｓ’０は、共用器３７ａを介して増幅器３５Ｂａにより増幅され、周波数帯域Ｆ’０のみが通過できるフィルタ３４Ｂａによりろ波される。アンテナ３６ｂで受信した上り無線周波信号Ｓ’１ｉは、共用器３７ｂを介して増幅器３５Ｂｂにより増幅され、周波数帯域Ｆ’１のみが通過出来るフィルタ３４Ｂｂによりろ波される。フィルタ３４Ｂａ、３４Ｂｂの出力信号は結合器３３Ｂにより結合される。結合された電気信号は電気／光変換器３２Ｂにより光波長λｉの光信号に変換される。この光信号は光合波器３１Ｂにより上り回線の上り用光ファイバ線路２０Ｂに合波される。
第５実施例
図１２及び１３に第５実施例を示す。実施例は図６及び７に示した実施例におけるマルチセルシステムとシングルセルシステムをそれぞれ複数重ねて使用可能とすることことで更に通信システムの利用効率を高めたものである。
【００４５】
図１２に下り信号に対する複数の重なったシングルセルと、複数の重なったマルチセルで構成された無線システムを示す。図１２において、信号Ｓ０１，  Ｓ０２，  ．．．，  Ｓ０Ｋは、Ｋ（Ｋは１以上の整数）個のシングルセル構成の無線システムのそれぞれの下り無線周波信号である。これらの無線周波信号は最終的に全ての無線アクセスユニット３０Ａ−１〜３０Ａ−Ｎに送られ、無線アクセスユニット３０Ａ−１〜３０Ａ−Ｎから無線周波信号として送信される。Ｓ０１，Ｓ０２，．．．，Ｓ０Ｋのそれぞれの周波数帯域をＦＡ−１，ＦＡ−２，．．．，ＦＡ−Ｋと記する。ＦＡ−１，  ＦＡ−２，．．．，ＦＡ−Ｋは互いに十分離れた周波数帯域である。信号［Ｓ１１，Ｓ１２，．．．，Ｓ１Ｎ］，  ［Ｓ２１，  Ｓ２２，．．．，Ｓ２Ｎ］，  ．．．，  ［ＳＬ１，ＳＬ２，．．．，ＳＬＮ］は、Ｌ（Ｌは１以上の整数）個のマルチセル構成の無線システムのそれぞれの下り無線周波信号列である。それぞれ無線周波信号列はＮ（Ｎは１以上の整数）個の信号を含む。
【００４６】
信号Ｓｊｉ（ｊ＝１，２，．．．，Ｌ，  ｉ＝１，２，．．．，Ｎ）はｊ番目のマルチセル構成の無線システムのｉ番目の無線アクセスユニット３０Ａ−ｉのみに送信される信号であり、最終的に無線アクセスユニット３０Ａ−ｉから無線周波信号として送信される。上記各無線周波信号列のそれぞれの周波数帯域をＦＢ−１，ＦＢ−２，．．．，ＦＢ−Ｌと表す。周波数帯域ＦＢ−１，ＦＢ−２，．．．，ＦＢ−Ｌは互いに十分離れた周波数帯域であり、周波数帯域ＦＡ−１，ＦＡ−２，．．．，ＦＡ−Ｋとも互いに十分離れている。信号Ｓｊｉの周波数帯域をＦｊ−ｉと表すと、Ｆｊ−１，Ｆｊ−２，．．．，Ｆｊ−Ｎは周波数帯域ＦＢ−ｊに含まれ、ＦＢ−ｊに属する複数の周波数チャネルと称する。周波数帯域Ｆｊ−１，Ｆｊ−２，．．．，Ｆｊ−ＮはＦＢ−ｊの帯域範囲内に接近して配置される。
【００４７】
この実施例では、図６の実施例における分配器１１ＡをＫ個設け、各分配器のＮ分配出力をＮ個の合成器１２Ａ−１１〜２Ａ−Ｎに入力し、図６におけるマルチセル入力端子のグループがＬグループ設けられ、各グループのＮ個の端子はそれぞれＮ個の合成器１２Ａ−１〜１２Ａ−Ｎに入力する構成となっている。即ち、分配合成ユニット１００Ａは、Ｋ個の分配器１１Ａ−１〜１１Ａ−Ｋと、Ｎ個の合成器１２Ａ−１〜１２Ａ−Ｎと、Ｎ個の電気／光変換器１３Ａ−１〜１３Ａ−Ｎと、光合波器１４Ａとから構成される。各合成器１２Ａ−ｉ（ｉ＝１，２，．．．，Ｎ）は、周波数帯域がそれぞれＦＡ−１，ＦＡ−２，．．．，ＦＡ−Ｋ及びＦＢ−１，ＦＢ−２，．．．，ＦＢ−Ｌの（Ｋ＋Ｌ）個の無線周波信号を多重化し、電気／光変換器１３Ａ−ｉに与える。
【００４８】
各無線アクセスユニット３０Ａ−ｉ（ｉ＝１，２，．．．，Ｎ）は、光分波器３１Ａと、光／電気変換器３２Ａと、分波器３８Ａと、（Ｋ＋Ｌ）個の増幅器３４Ａａ−１〜３４Ａａ−Ｋ及び３４Ａｂ−１〜３４Ａｂ−Ｌと、（Ｋ＋Ｌ）個のフィルタ３５Ａａ−１〜３５Ａａ−Ｋ及び３５Ａｂ−１〜３５Ａｂ−Ｌと、（Ｋ＋Ｌ）個のアンテナ３６Ａａ−１〜３６Ａａ−Ｋ及び３６Ａｂ−１〜３６Ａｂ−Ｌとから構成される。
分波器３８Ａは、周波数帯域がそれぞれＦＡ−１，ＦＡ−２，．．．，ＦＡ−Ｋ及びＦＢ−１，ＦＢ−２，．．．，ＦＢ−Ｌとなる（Ｋ＋Ｌ）個の無線周波信号に分波する。
分配合成ユニット１００Ａにおいて、入力された無線周波信号Ｓ０ｍ  （ｍ＝１，２，．．．，Ｋ）は、分配器１１Ａ−ｍによりＮ分配される。１〜Ｎ番目の分配出力は、順次Ｎ個の合成器１２Ａ−１〜１２Ａ−Ｎのｍ番目の入力ポートに接続される。一方、無線周波信号列［Ｓｊ１，Ｓｊ２，．．．，ＳｊＮ］  （ｊ＝１，２，．．．，Ｌ）の中の各無線周波信号Ｓｊｉ（ｉ＝１，２，．．．，Ｎ）は、ｉ番目の合成器１２Ａ−ｉの（Ｋ＋ｊ）番目の入力ポートに接続される。各合成器１２Ａ−１〜１２Ａ−Ｎの出力電気信号は、それぞれ電気／光変換器１３Ａ−１〜１３Ａ−Ｎにより互いに異なる波長λ１，λ２，．．．，λＮの光信号に変換される。電気／光変換器１３Ａ−１〜１３Ａ−Ｎから出力されたＮ個の光信号は光合波器１４Ａにより合波され光ファイバ線路２０Ａに結合される。
【００４９】
無線アクセスユニット３０Ａ−ｉ（ｉ＝１，２，．．．，Ｎ）において、光ファイバ線路２０Ａに挿入された光分波器３１Ａにより波長λｉの光信号が取り出される。残りの波長の光信号はこの光分波器３１Ａを通過し、次の無線アクセスユニット３０Ａ−（ｉ＋１）へ向かう。波長λｉの光信号は光／電気変換器３２Ａにより電気信号に変換される。この電気信号は分波器３８Ａにより、信号Ｓ０１，Ｓ０２，．．．，Ｓ０Ｋ、及びＳ１ｉ，Ｓ２ｉ，．．．，ＳＬｉに分離される。無線周波信号Ｓ０１，Ｓ０２，．．．，Ｓ０Ｋはそれぞれ増幅器３４Ａ−１〜３４Ａ−Ｋにより増幅され、帯域通過フィルタ３５Ａａ−１〜３５Ａａ−Ｋによりフィルタリングされ、アンテナ３６Ａａ−１〜３６Ａａ−Ｋにより無線周波信号として空間に送出される。また、信号Ｓ１ｉ，Ｓ２ｉ，．．．，ＳＬｉは，それぞれ増幅器３４Ａｂ−１〜３４Ａｂ−Ｌにより増幅され、帯域通過フィルタ３５Ａｂ−１〜３５Ａｂ−Ｌによりフィルタリングされ、アンテナ３６Ａｂ−１〜３６Ａｂ−Ｌにより無線周波信号として空間に送出される。
【００５０】
図１３に図１２の下り信号用システムに対応する上り信号用無線システムの構成例を示す。図１３において、Ｓ’０１，Ｓ’０２，．．．，Ｓ’０Ｋは、Ｋ（Ｋは１以上の整数）個のシングルセル構成の無線システムのそれぞれの上り無線周波信号であり、シングルセル構成の無線システムの無線端末から送信される。信号Ｓ’０１，Ｓ’０２，．．．，Ｓ’０Ｋのそれぞれの周波数帯域をＦ’Ａ−１，Ｆ’Ａ−２，．．．，Ｆ’Ａ−Ｋと記する。Ｆ’Ａ−１，Ｆ’Ａ−２，．．．，Ｆ’Ａ−Ｋは互いに十分離れた周波数帯域である。信号［Ｓ’１１，Ｓ’１２，．．．，Ｓ’，１Ｎ］，［Ｓ’２１，Ｓ’２２，  ．．．，  Ｓ’２Ｎ］，  ．．．，  ［Ｓ’Ｌ１，Ｓ’Ｌ２，．．．，Ｓ’ＬＮ］は、Ｌ（Ｌは１以上の整数）個のマルチセル構成の無線システムのそれぞれの上り無線周波信号列である。それぞれ無線周波信号列はＮ（Ｎは１以上の整数）個の信号を含む。
【００５１】
信号Ｓ’ｊｉ（ｊ＝１，２，．．．，Ｌ，  ｉ＝１，２，．．．，Ｎ）は第ｊ番目のマルチセル構成の無線システムのｉ番目無線アクセスユニット３０Ｂ−ｉの近傍にあるそのシステムの無線端末から送信される。上記各無線周波信号列のそれぞれの周波数帯域をＦ’Ｂ−１，Ｆ’Ｂ−２，．．．，Ｆ’Ｂ−Ｌと表す。周波数帯域Ｆ’Ｂ−１，Ｆ’Ｂ−２，．．．，Ｆ’Ｂ−Ｌは互いに十分離れた周波数帯域であり、Ｆ’Ａ−１，  Ｆ’Ａ−２，．．．，Ｆ’Ａ−Ｋとも互いに十分離れている。信号Ｓ’ｊｉの周波数帯域をＦ’ｊ−ｉと表すと、Ｆ’ｊ−１，Ｆ’ｊ−２，．．．，Ｆ’ｊ−Ｎは周波数帯域Ｆ’Ｂ−ｊに含まれ、Ｆ’Ｂ−ｊに属する複数の周波数チャネルと称する。Ｆ’ｊ−１，Ｆ’ｊ−２，．．．，Ｆ’ｊ−ＮはＦ’Ｂ−ｊの帯域範囲内に接近して配置される。
【００５２】
分配合成ユニット１００Ｂは、Ｋ個の結合器１１Ｂ−１〜１１Ｂ−Ｋと、Ｎ個の分波器１２Ｂ−１〜１２Ｂ−Ｎと、Ｎ個の光／電気変換器１３Ｂ−１〜１３Ｂ−Ｎと、光分波器１４Ｂとから構成される。第ｉ番目の分配器１２Ｂ−ｉ（ｉ＝１，２，．．．，Ｎ）は、その入力信号を周波数帯域がそれぞれＦ’Ａ−１，Ｆ’Ａ−２，．．．，Ｆ’Ａ−Ｋ及びＦ’Ｂ−１，  Ｆ’Ｂ−２，  ．．．，  Ｆ’Ｂ−Ｌの（Ｋ＋Ｌ）個の無線周波信号に分波し、Ｆ’Ａ−１，Ｆ’Ａ−２，．．．，Ｆ’Ａ−ＫのそれぞれをＫ個の結合器１１Ｂ−１〜１１Ｂ−Ｋのそれぞれの第ｉ番目のポートに出力し、Ｆ’Ｂ−１，  Ｆ’Ｂ−２，  ．．．，  Ｆ’Ｂ−ＬのそれぞれをＬ個の端子Ｙ’１ｉ，Ｙ’２ｉ，．．．，Ｙ’Ｌｉに出力する。各結合器１１Ｂ−ｍ  （ｍ＝１，２，．．．，Ｋ）はＮ個の分波器１２Ｂ−１〜１２Ｂ−Ｎのそれぞれの第ｍ番目の出力ポートからの信号が与えられ、それらを合成して端子Ｘ’ｍに出力する。
【００５３】
各無線アクセスユニット３０Ｂ−ｉ（ｉ＝１，２，．．．，Ｎ）は、光合波器３１Ｂと、電気／光変換器３２Ｂと、合成器３８Ｂと、（Ｋ＋Ｌ）個の増幅器３４Ｂａ−１〜３４Ｂａ−Ｋ及び３４Ｂｂ−１〜３４Ｂｂ−Ｌと、（Ｋ＋Ｌ）個の帯域通過フィルタ３５Ｂａ−１〜３５Ｂａ−Ｋ及び３５Ｂｂ−１〜３５Ｂｂ−Ｌと、（Ｋ＋Ｌ）個のアンテナ３６Ｂａ−１〜３６Ｂａ−Ｋ及び３６Ｂｂ−１〜３６Ｂｂ−Ｌとから構成される。合成器３３Ｂは、周波数帯域がそれぞれＦ’Ａ−１，Ｆ’Ａ−２，．．．，Ｆ’Ａ−Ｋ及びＦ’Ｂ−１，Ｆ’Ｂ−２，．．．，Ｆ’Ｂ−Ｌの（Ｋ＋Ｌ）個の無線周波信号を多重化する。
各無線アクセスユニット３０Ｂ−ｉ（ｉ＝１，２，．．．，Ｎ）において、受信周波数帯域がそれぞれＦ’Ａ−１，Ｆ’Ａ−２，．．．，Ｆ’Ａ−Ｋ及びＦ’Ｂ−１，Ｆ’Ｂ−２，．．．，Ｆ’Ｂ−Ｌのアンテナ３６Ｂａ−１〜３６Ｂａ−Ｋ及び３６Ｂｂ−１〜３６Ｂｂ−Ｌは、無線周波信号Ｓ’０１，Ｓ’０２，．．．，Ｓ’０Ｋ、及びＳ’１ｉ，Ｓ’２ｉ，．．．，  Ｓ’Ｌｉを受信する。これらの受信信号のそれぞれは、フィルタ３５Ｂａ−１〜３５Ｂａ−Ｋ、及び３５Ｂｂ−１〜３５Ｂｂ−Ｌによりフィルタリングされ、増幅器３４Ｂａ−１〜３４Ｂａ−Ｋ、及び３４Ｂｂ−１〜３４Ｂｂ−Ｌにより増幅される。これらの増幅された信号は合成器３８Ｂより一つの電気信号に多重化される。多重化された電気信号は、電気／光変換器３２Ｂにより光波長がλｉの光信号に変換される。この光信号は光合波器３１Ｂにより光ファイバ線路２０Ｂに結合される。
【００５４】
分配合成ユニット１００Ｂにおいて、光ファイバ線路２０Ｂからの波長λ１〜λＮの光信号は光分波器１４Ｂによりそれぞれの波長の光信号に分波される。これらの出力光信号の中、波長がλｉ（ｉ＝１，２，．，，，Ｎ）の光信号は、光／電気変換器１３Ｂ−ｉにより電気信号に変換され、分波器１２Ｂ−ｉによりそれぞれの周波数帯域の信号に分波される。波長λｉの光信号が対応する無線アクセスユニット３０Ｂ−ｉから送られてくるため、対応する分波器１２Ｂ−ｉの（Ｋ＋Ｌ）個の出力信号は、Ｓ’０１，Ｓ’０２，．．．，Ｓ’０Ｋ及びＳ’１ｉ，Ｓ’２ｉ，．．．，Ｓ’Ｌｉとなる。分波器１２Ｂ−ｉにおいて、信号Ｓ’０１〜Ｓ’０Ｋは順次１〜Ｋ番目の出力ポートから出力され、信号Ｓ’１ｉ〜Ｓ’Ｌｉは順次Ｋ＋１〜Ｋ＋Ｌ番目のポートから出力される。
【００５５】
分波器１２Ｂ−１〜１２Ｂ−Ｎの各ｍ（ｍ＝１，２，．．．，Ｋ）番目の出力ポートからのＮ個の出力信号は、結合器１１Ｂ−ｍにより一つの電気信号に結合される。この結合された信号は、すべての無線アクセスユニット３０Ｂ−１〜３０Ｂ−Ｎからの上り無線周波信号Ｓ’ｍの合成信号となる。一方、分波器１２Ｂ−１〜１２Ｂ−Ｎの各ｊ（ｊ＝Ｋ＋１，Ｋ＋２，．．．，Ｋ＋Ｌ）番目の出力ポートからのＮ個の出力信号を集めれば、第（ｊ−Ｋ）番目のマルチセル構成の無線システムのＮ個上り無線信号Ｓ’（ｊ−Ｋ），１，Ｓ’（ｊ−Ｋ），２，．．．，Ｓ’（ｊ−Ｋ），Ｎが得られる。
このように、図１２及び１３の実施例によれば、端子Ｘ１，．．．，ＸＫ及びＸ’１，．．．，  Ｘ’Ｋの対応する組に対し、分配合成ユニット１００Ａ，  １００Ｂ、下り用及び上り用光ファイバ線路２０Ａ，  ２０Ｂ、及びＮ個の無線アクセルユニットを含む通信システムは、重ねられたＫ個のシングルセル通信システムとして動作し、端子Ｙ１１，．．．，ＹＬＮ及びＹ’１１，．．．，Ｙ’ＬＮの組に対し同じ通信システムは重ねられたＬ個のマルチセル通信システムとして動作することができるので通信システムの利用効率を高めることができる。
第６実施例
図１４及び１５に第６実施例を示す。図１４は図１２の実施例において、マルチセル構成の無線システムの数Ｌを０にした場合である。図１４において、Ｋ（Ｋは１以上の整数）個のシングルセル構成の無線システムのそれぞれの下り無線周波信号の伝送の過程は、図１２におけるＫ個のシングルセル構成の無線システムのそれぞれの下り無線周波信号の伝送の過程と同様である。
【００５６】
図１５は図１３の実施例において、マルチセル構成の無線システムの数Ｌを０にした場合である。図１５において、Ｋ（Ｋは１以上の整数）個のシングルセル構成の無線システムのそれぞれの上り無線周波信号の伝送の過程は、図１３におけるＫ個のシングルセル構成の無線システムのそれぞれの上り無線周波信号の伝送の過程と同様である。
図１４及び１５の実施例では、端子Ｘ１，．．．，ＸＫ及びＸ’１，．．．，Ｘ’Ｋの対応するそれぞれの組に対し、分配合成ユニット１００Ａ，  １００Ｂ、下り用及び上り用光ファイバ線路２０Ａ，  ２０Ｂ、及びＮ個の無線アクセルユニットを含む通信システムは、重ねられたＫ個のシングルセル通信システムとして動作することができるので通信システムの利用効率を高くすることができる。
第７実施例
図１６及び１７に第７実施例を示す。図１６は図１２の実施例において、シングルセル構成の無線システムの数Ｋを０にした場合である。図１６において、Ｌ（Ｌは１以上の整数）個のマルチセル構成の無線システムのそれぞれの下り無線周波信号列の伝送の過程は、図１２におけるＬ個のマルチセル構成の無線システムのそれぞれの下り無線周波信号列の伝送の過程と同様である。
【００５７】
図１７は図１３の実施例において、シングルセル構成の無線システムの数ＫをＯにした場合である。図１７において、Ｌ（Ｌは１以上の整数）個のマルチセル構成の無線システムのそれぞれの上り無線周波信号列の伝送の過程は、図１３の実施例におけるＬ個のマルチセル構成の無線システムのそれぞれの上り無線周波信号列の伝送の過程と同様である。
図１６及び１７の実施例においても、端子Ｙ１１，．．．，ＹＬＮ及びＹ’１１，．．．，Ｙ’ＬＮの組に対し、分配合成ユニット１００Ａ，  １００Ｂ、下り用及び上り用光ファイバ線路２０Ａ，  ２０Ｂ、及びＮ個の無線アクセルユニットを含む通信システムは、重ねられたＬ個のマルチセル通信システムとして動作することができるので通信システムの利用効率を高めることができる。
【００５８】
【発明の効果】
以上説明したように、この発明によれば、分配合成ユニット、下り及び上り光ファイバ線路及びＮ個の無線アクセスユニットからなる同じシステムを、複数の入出力端子に対応して複数の通信システムとして動作させることができる。また，複数の無線システムを同一光ファイバ伝送手段に伝送することで無線システムの利用効率を高めることができる。
この構成によれば、例えば、複数の通信システムとして、無線ＬＡＮシステムと移動通信システムを使用すれば、同じ通信システム上で移動通信端末の使用と無線ＬＡＮ端末の使用が可能となる。
【００５９】
分配合成ユニットと各無線アクセスユニットとの間の光波長を異なるように設定すれば、分配合成ユニットと各無線アクセスユニットとの間に見かけ上でＮ個の独立の無線周波信号の伝送経路が構成される。従って、マルチセルの無線周波信号はそれぞれの信号伝送経路を使用し、シングルセルの無線周波信号を全ての伝送経路を同時に使用して伝送される。これによって、一つの光ファイバ伝送システムにおいて、シングルセル構成の無線システムとマルチセル構成の無線システムを同時に収容することができ、利用効率が高まる。
【００６０】
あるいは、複数の入出力端子に対応して複数の無線周波信号を分配・合成して異なる波長の光信号として分配合成ユニットとＮ個の無線アクセスユニットとの間で送受信を行うことにより、シングルセル及び／またはマルチセルを多重して使用できるので、システムの利用効率を高めることができる。
【図面の簡単な説明】
【図１】無線ＬＡＮの接続例を示す図。
【図２】無線アクセスユニットを接続した光ファイバ線路による従来の通信システムの構成を示すブロック図。
【図３】この無線ＬＡＮシステムと移動通信システムを同一システムで使用可能にしたこの発明による通信システムの実施例の構成を示すブロック図。
【図４】図３の実施例において無線ＬＡＮシステムをインターネット網に接続可能にした構成を示すブロック図。
【図５】図３の実施例において無線ＬＡＮシステムを移動通信網に接続可能にした構成を示すブロック図。
【図６】同一システム上でシングルセルとマルチセルを実現したこの発明による通信システムの実施例における下り信号のための構成を示すブロック図。
【図７】図６の構成に対応する上り信号のための構成を示すブロック図。
【図８】マルチセルにおける各セルの無線周波信号周波数設定の一例を示す図。
【図９】分配合成ユニットの構成例を示すブロック図。
【図１０】分配合成ユニットの構成例を示すブロック図。
【図１１】分配合成ユニットの構成例を示すブロック図。
【図１２】複数のシングルセルと複数のマルチセルを重ねて構成された通信システムの下り信号のための構成を示すブロック図。
【図１３】図１２の通信システムに対応する上り信号のための構成を示すブロック図。
【図１４】複数のシングルセルを重ねて構成された通信システムの下り信号のための構成を示すブロック図。
【図１５】図１４の通信システムに対応する上り信号のための構成を示すブロック図。
【図１６】複数のマルチセルを重ねて構成された通信システムの下り信号のための構成を示すブロック図。
【図１７】図１６の通信システムに対応する上り信号のための構成を示すブロック図。
【図１】
0003591725.tif 000002
【図２】
0003591725.tif 000003
【図３】
0003591725.tif 000004
【図４】
0003591725.tif 000005
【図５】
0003591725.tif 000006
【図６】
0003591725.tif 000007
【図７】
0003591725.tif 000008
【図８】
0003591725.tif 000009
【図９】
0003591725.tif 000010
【図１０】
0003591725.tif 000011
【図１１】
0003591725.tif 000012
【図１２】
0003591725.tif 000013
【図１３】
0003591725.tif 000014
【図１４】
0003591725.tif 000015
【図１５】
0003591725.tif 000016
【図１６】
0003591725.tif 000017
【図１７】
0003591725.tif 000018